(57)【要約】 【課題】支柱管と横管とが連結されてなる足場骨組みの継手構造であって、支柱管と横管との締結時および解体時において、騒音を伴うハンマー等による打撃を不要としつつ、下からの強風下においても支柱管から横管が外れることのないより安全確実な締結状態が得られ、かつ作業性に優れた足場骨組みの継手構造を提供する。【解決手段】支柱管１１は、支柱管本体１２と、その外面に設けられた上方向にすぼまる差込み突子１８とを備え、横管２１は、横管本体２２と、その両端部にそれぞれ設けられ差込み突子１８に嵌合する受け孔２８とを備え、さらに、横管本体２２の外面下部に、手動ハンドル２４が略水平面内で回転可能に設けられ、差込み突子１８に受け孔２８を嵌合した状態において、ハンドル操作により手動ハンドル２４の先端部が差込み突子１８の下端部に係止されるように構成する。【選択図】図４
2007277981.tif 000002
【特許請求の範囲】
【請求項１】
支柱管と横管とが連結されてなる足場骨組みの継手構造であって、
前記支柱管は、支柱管本体と、この支柱管本体の外面に設けられた支柱管側連結手段とを備え、
前記横管は、横管本体と、この横管本体の両端部にそれぞれ設けられ、前記支柱管側連結手段にその上方から差し込むことにより嵌合するように構成された横管側連結手段とを備え、
さらに、前記横管本体の外面下部に、手動ハンドルが略水平面内で回転可能に設けられ、前記支柱管側連結手段に前記横管側連結手段を嵌合した状態において、ハンドル操作により前記手動ハンドルの先端部が前記支柱管側連結手段の下端部に係止されるように構成されたことを特徴とする足場骨組みの継手構造。
【請求項２】
支柱管と横管とが連結されてなる足場骨組みの継手構造であって、
前記支柱管は、支柱管本体と、この支柱管本体の外面に設けられた支柱管側連結手段とを備え、
前記横管は、横管本体と、この横管本体の両端部にそれぞれ設けられ、前記支柱管側連結手段にその上方から差し込むことにより嵌合するように構成された横管側連結手段とを備え、
さらに、前記横管本体の外面に略垂直面内で回転可能に設けられ、前記支柱管側連結手段の下端部に係止する鉤部を先端部に有する少なくとも１つのカムを備えたことを特徴とする足場骨組みの継手構造。
【請求項３】
さらに、前記支柱管側連結手段に前記横管側連結手段を嵌合させたときに、前記鉤部を前記支柱管側連結手段の下端部に係止させる方向に付勢するバネを備えた請求項２に記載の足場骨組みの継手構造。
【請求項４】
前記支柱管側連結手段は、下方向に狭まるソケットであり、前記横管側連結手段は、前記ソケットに嵌合する楔部である請求項１〜３のいずれか１項に記載の足場骨組みの継手構造。
【請求項５】
前記支柱管側連結手段は、上方向にすぼまる差込み突子であり、前記横管側連結手段は、前記差込み突子に嵌合する受け孔である請求項１〜３のいずれか１項に記載の足場骨組みの継手構造。
【発明の詳細な説明】
【技術分野】
【０００１】
本発明は、建築工事等に用いられる仮設足場の骨組み構造における継手構造に関する。
【背景技術】
【０００２】
例えば、建築工事用の仮設足場は、金属パイプ等からなる支柱管と横管とを連結して骨組みを構築し、この骨組みの所要箇所に足場板を渡して形成される。
【０００３】
そして、組立および解体の作業性に優れた足場骨組み部材として、例えば、図５に示すように、支柱管本体１１２の外周面に４つのテーパ状のソケット１１３を溶接付けしてなる支柱管１１１と、横管本体１２２の両端部に前記ソケット１１３に嵌合する下向きの楔部１２３を形成してなる横管１２１との組み合わせが多用されている（例えば、特許文献１，２参照）。
【０００４】
この組合せは、支柱管１１１のソケット１１３に横管１２１の楔部１２３を単に抜き差しするだけでよいため、簡便で極めて作業性に優れるものであるが、以下の問題点を有する。
【０００５】
すなわち、支柱管１１１と横管１２１の締結時（組立時）においては、楔部１２３をソケット１１３のできるだけ奥まで差し込んで容易に抜けないようにするために、楔部１２３の上部をハンマー等で叩いて打ち込むことが行われている。また、解体時においても、ソケット１１３に強く喰い込んだ楔部１２３を抜くために、横管本体１２２の下部をハンマー等で叩いて外すことが行われている。このため、足場骨組みの組立時および解体時に騒音が発生することから、施工場所や作業時間などが大幅に制限される問題がある。
【０００６】
また、締結時にハンマー等による打込みが十分でないと、例えば下からの強風などにより足場板が浮き上がり、それにつられて楔部１２３がソケット１１３から抜けてしまう危険性があるという問題もある。
【０００７】
そこで、上記のような騒音を伴う作業を行うことなく、足場骨組み部材を確実に締結できる手段として、長板状の抜止めピンを用いる手段（特許文献３参照）、可動ピンとバネの組合せからなる接続機構を用いる手段（特許文献４参照）などが提案されている。
【０００８】
しかしながら、前者の手段では、締結時には長板状の抜止めピンを被締結管の上端部から引き出して横方向に回倒するだけでよいので騒音の発生はないが、解体時には抜け止めピンがさび付く等して外れにくくなり、ハンマー等による打撃が必要になることが予想され、騒音を完全になくすことができないことや、抜け止めピンを操作する動作が多く手間がかるため作業性が低くなること等の問題がある。
【０００９】
また、後者の手段では、可動ピンを被締結管に設けた孔に抜き差しするだけでよいので締結時、解体時とも騒音の発生はないが、締結時には被締結管の孔を可動ピンの位置に正確に合わせる必要があり、上記前者の手段と同様、作業性が低下する問題がある。
【００１０】
したがって、組立て時および解体時の騒音を防止しつつ、確実な締結状態が得られ、かつ作業性に優れた締結手段はいまだ実用化されていないのが現状である。
【００１１】
【特許文献１】特開２００３−１２００１６号公報（段落［０００７］、図１〜４など）
【特許文献２】特開２００３−１２００１７号公報（段落［００１０］、図１〜３など）
【特許文献３】実公平１−１９６８３号公報（第２頁左欄９〜２２行、図３〜６など）
【特許文献４】特開平８−８６０８７号公報（段落［００２１］、図１０など）
【発明の開示】
【発明が解決しようとする課題】
【００１２】
そこで本発明の目的は、支柱管と横管とが連結されてなる足場骨組みの継手構造であって、支柱管と横管との締結時および解体時において、騒音を伴うハンマー等による打撃を不要としつつ、下からの強風下においても支柱管から横管が外れることのないより安全確実な締結状態が得られ、かつ作業性に優れた足場骨組みの継手構造を提供することにある。
【課題を解決するための手段】
【００１３】
請求項１に記載の発明は、支柱管と横管とが連結されてなる足場骨組みの継手構造であって、前記支柱管は、支柱管本体と、この支柱管本体の外面に設けられた支柱管側連結手段とを備え、前記横管は、横管本体と、この横管本体の両端部にそれぞれ設けられ、前記支柱管側連結手段にその上方から差し込むことにより嵌合するように構成された横管側連結手段とを備え、さらに、前記横管本体の外面下部に、手動ハンドルが略水平面内で回転可能に設けられ、前記支柱管側連結手段に前記横管側連結手段を嵌合した状態において、ハンドル操作により前記手動ハンドルの先端部が前記支柱管側連結手段の下端部に係止されるように構成されたことを特徴とする足場骨組みの継手構造である。
【００１４】
請求項２に記載の発明は、支柱管と横管とが連結されてなる足場骨組みの継手構造であって、前記支柱管は、支柱管本体と、この支柱管本体の外面に設けられた支柱管側連結手段とを備え、前記横管は、横管本体と、この横管本体の両端部にそれぞれ設けられ、前記支柱管側連結手段にその上方から差し込むことにより嵌合するように構成された横管側連結手段とを備え、さらに、前記横管本体の外面に略垂直面内で回転可能に設けられ、前記支柱管側連結手段の下端部に係止する鉤部を先端部に有する少なくとも１つのカムを備えたことを特徴とする足場骨組みの継手構造である。
【００１５】
請求項３に記載の発明は、さらに、前記支柱管側連結手段に前記横管側連結手段を嵌合させたときに、前記鉤部を前記支柱管側連結手段の下端部に係止させる方向に付勢するバネを備えた請求項２に記載の足場骨組みの継手構造である。
【００１６】
請求項４に記載の発明は、前記支柱管側連結手段は、下方向に狭まるソケットであり、前記横管側連結手段は、前記ソケットに嵌合する楔部である請求項１〜３のいずれか１項に記載の足場骨組みの継手構造である。
【００１７】
請求項５に記載の発明は、前記支柱管側連結手段は、上方向にすぼまる差込み突子であり、前記横管側連結手段は、前記差込み突子に嵌合する受け孔である請求項１〜３のいずれか１項に記載の足場骨組みの継手構造である。
【発明の効果】
【００１８】
本発明の足場骨組みの継手構造は、支柱管の外面に設けられた連結手段に、横管の端部に設けられた、手動ハンドルまたは先端部が鉤状に形成されたカムで係止するように構成したので、極めて作業性に優れるとともに、締結時および解体時にハンマー等による打撃を必要としないため騒音が発生せず、また、下からの強風下においても支柱管から横管が外れることがなく、より安全確実な締結状態が実現できる。
【発明を実施するための最良の形態】
【００１９】
以下、本発明の実施の形態について、図面を参照しつつ詳細に説明する。
【００２０】
〔実施形態１〕
本発明の実施形態に係る足場骨組みの継手構造の一例を図１に示す。（ａ）は支柱管、（ｂ）は横管、（ｃ）は支柱管と横管との連結状態をそれぞれ示す。
【００２１】
図１（ａ）に示すように、支柱管１１は、支柱管本体１２と、その外面に９０度の間隔で設けられた支柱管側連結手段としての下方向に狭まる４つのソケット１３とを備えている。また、図１（ｂ）に示すように、横管２１は、横管本体２２と、その両端部にそれぞれ設けられ、ソケット１３に嵌合するように、ソケット１３と同様に下方向に狭まる横管側連結手段としての楔部２３とを備えている。さらに、横管本体２２の外面下部に、手動ハンドル２４が略水平面内で回転可能に設けられている。そして、図１（ｃ）に示すように、ソケット１３に楔部２３を嵌合した状態において、ハンドル操作により手動ハンドル２４の先端部２４ａがソケット１３の下端部に係止されるように構成されている。また、図１（ｂ）に示すように、手動ハンドル２４の先端部２４ａがソケット１３の下端部に係止されやすく、かつ係止した時にしっかり固定できるように、先端部２４ａは、その回転方向断面を、係止する際の回転方向に向かって狭まるテーパ状に形成しておくのが好ましい。
【００２２】
〔実施形態２〕
本発明の別の実施形態に係る足場骨組みの継手構造の一例を図２に示す。図（ａ）は支柱管、（ｂ）は横管、（ｃ）は支柱管と横管との組立て構造をそれぞれ示す。
【００２３】
図２（ａ）に示すように、本実施形態の支柱管１１は、図１（ａ）に示す上記実施形態１の支柱管１１と共通であるので、説明を省略する。
【００２４】
また、図２（ｂ）に示すように、本実施形態の横管２１は、横管本体２２と、その両端部にそれぞれ設けられ、ソケット１３に嵌合するように、ソケット１３と同様に下方向に狭まる横管側連結手段としての楔部２３とを備えている点については、上記実施形態１の横管２１と共通する。しかしながら、上記実施形態１の手動ハンドル２４に代えて、本実施形態では横管本体２２の外面にソケット１３の下端部に係止する鉤部２６を先端部に有するカム２５が、横管本体２２の軸を含む略垂直面内で回転可能に設けられている。さらに、必要に応じて、カム２５を横管本体２２の先端方向（前方）に付勢するバネ２７を取り付けておくのが好ましい。バネ２７を取り付けた場合、図２（ｃ）に示すように、ソケット１３に楔部２３を嵌合させたとき、カム２５の鉤部２６がバネ２７により前方に付勢されているので、ソケット１３の下端部に自動的に係止され、より効率的に組立てを行うことができる。また、図２（ｂ）に示すように、解体時にソケット１３下端部からカム２５を簡単に取り外せるように、カム２５の先端部近傍に取っ手２９を形成しておくのが好ましい。この取っ手２９を解除方向に操作することで、バネ２７を取り付けた場合であっても、バネ２７の付勢に打ち勝ってカム２５をソケット１３下端部から簡単に取り外すことができる。
【００２５】
〔実施形態３，４〕
上記実施形態１，２では、支柱管側連結手段としてのソケット１３と、横管側連結手段としての楔部２３との組合せを例示したが、図３（実施形態３）および図４（実施形態４）に示すように、支柱管側連結手段として、上方向にすぼまる差込み突子１８を採用するとともに、横管側連結手段として、差込み突子１８に嵌合するように、差込み突子１８と同様に上方向にすぼまる受け孔２８を採用し、これらを組み合わせて用いてもよい。また、差込み突子１８に受け孔２８を嵌合させたときに、横管２１が水平方向にぐら付くのを抑制するために、横管本体２２の端面２２ａを、支柱管本体１２の外面に沿うように凹面に形成しておくのがさらに好ましい。
【００２６】
また、図３（ａ）および図４（ａ）に示すように、差込み突子１８の水平断面形状に凹凸を設けておくのが好ましく、これにより受け孔２８への嵌合時にさらにしっかりした締結状態が得られる。
【００２７】
なお、図３に示す実施形態３は、上記実施形態１と、係止手段として手動ハンドル２４を用いる点で共通しており、その構成および作用は共通するので説明を省略する。
【００２８】
また、図４に示す実施形態４は、上記実施形態２と、係止手段として先端部に鉤部を有するカム２５と、必要に応じてこのカム２５に付勢を与えるバネ２７を用いる点で共通し、作用も共通するが、その構成は少し異なるので、以下に説明する。
【００２９】
すなわち、本実施形態では図４（ｂ）に示すように、横管本体２２の外面に、ソケット１３の下端部に係止する内向きの鉤部２６をそれぞれ先端部に有する一対のカム２５，２５が横管本体２２の軸に直交する略垂直面内で回転可能に設けられている。さらに、必要に応じて、双方のカム２５，２５をそれぞれ内向きに付勢するバネ２７，２７を取り付けておくのが好ましい。バネ２７を取り付けた場合、図４（ｃ）に示すように、ソケット１３に楔部２３を嵌合させたとき、前記双方のカム２５，２５の鉤部２６，２６がバネ２７，２７により内向きに付勢されているので、ともにソケット１３の下端部に自動的に係止され、より効率的に組立てを行うことができる。また、図４（ｂ）に示すように、解体時にソケット１３下端部から一対のカム２５，２５を簡単に取り外せるように、双方のカム２５，２５の取り付け部近傍にそれぞれ取っ手２９を形成しておくのが好ましい。これらの取っ手２９を解除方向に操作することで、バネ２７を取り付けた場合であっても、バネ２７の付勢に打ち勝って双方のカム２５，２５をソケット１３下端部から簡単に取り外すことができる。
【００３０】
〔変形例〕
なお、上記実施形態１〜４では、ソケット１３または差込み突子１８を支柱管の外面に９０度の間隔で４つ設けた例を示したが、これに限定されるものではなく、足場骨組みの構成部位に応じて、例えば、対称の位置に２つだけ設けたものとしてもよいし、９０度の位置に２つだけ設けたものとしてもよいし、９０度の間隔で３つ設けたものとしてもよい。
【図面の簡単な説明】
【００３１】
【図１】実施形態１に係る足場骨組みの継手構造を示し、（ａ）は支柱管、（ｂ）は横管、（ｃ）は支柱管と横管との連結状態をそれぞれ示す斜視図である。
【図２】実施形態２に係る足場骨組みの継手構造を示し、（ａ）は支柱管、（ｂ）は横管、（ｃ）は支柱管と横管との連結状態をそれぞれ示す斜視図である。
【図３】実施形態３に係る足場骨組みの継手構造を示し、（ａ）は支柱管、（ｂ）は横管、（ｃ）は支柱管と横管との連結状態をそれぞれ示す斜視図である。
【図４】実施形態４に係る足場骨組みの継手構造を示し、（ａ）は支柱管、（ｂ）は横管、（ｃ）は支柱管と横管との連結状態をそれぞれ示す斜視図である。
【図５】従来の足場骨組みの継手構造を示す斜視図である。
【符号の説明】
【００３２】
１１…支柱管
１２…支柱管本体
１３…ソケット
１８…差込み突子
２１…横管
２２…横管本体
２２ａ…端面
２３…楔部
２４…手動ハンドル
２４ａ…先端部
２５…カム
２６…鉤部
２７…バネ
２８…受け孔
２９…取っ手
【図１】
2007277981.tif 000003
【図２】
2007277981.tif 000004
【図３】
2007277981.tif 000005
【図４】
2007277981.tif 000006
【図５】
2007277981.tif 000007